【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含む単焦点眼内レンズ。
【請求項２】
屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１．２５Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含む単焦点眼内レンズ。
【請求項３】
前記複合プロファイルが、前記レンズの前記前面上に完全に配置されることを特徴とする、請求項１または２に記載のレンズ。
【請求項４】
前記複合プロファイルが、前記レンズの前記前面および後面の両方の上に区分的に配置されることを特徴とする、請求項１または２に記載のレンズ。
【請求項５】
前記複合プロファイルが、回転対称であることを特徴とする、請求項１または２に記載のレンズ。
【請求項６】
前記３つの構成プロファイルにより形成されるレンズのゾーンが、形状においてキノフォームであることを特徴とする、請求項１または２に記載のレンズ。
【請求項７】
前記回折プロファイルの各々が、水溶液に関して、５４６ｎｍ光について０．８〜１．０×２πの位相遅延を生じさせるステップ高さを有することを特徴とする、請求項１または２に記載のレンズ。
【請求項８】
中央ゾーンが、構成回折プロファイルと独立した形状を有する回折表面を有することを特徴とする、請求項１または２に記載のレンズ。
【請求項９】
ｐ２に対するｐ１の比が約０．６であり、ｐ３に対するｐ１の比が約０．４であることを特徴とする、請求項１または２に記載のレンズ。
【請求項１０】
ｐ２に対するｐ１の比が約０．６７であり、ｐ３に対するｐ１の比が約０．３１であることを特徴とする、請求項１または２に記載のレンズ。
【請求項１１】
前記焦点深度が０．８５ジオプトリ超であることを特徴とする、請求項１、２または９に記載のレンズ。
【請求項１２】
少なくとも３つのレンズを含む、一群の単焦点眼内レンズであって、前記レンズの各々が、
屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１．２５Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含み、
前記一群のレンズの各々が、互いに異なる屈折型ベースジオプトリ度数を有し、
前記屈折型ベースパワーの範囲が、少なくとも１０ジオプトリであり、
前記少なくとも３つのレンズの各々の前記複合プロファイルが、互いに同じである、
一群の単焦点眼内レンズ。
【請求項１３】
前記少なくとも３つのレンズの各々における前記複合プロファイルが、前記少なくとも３つのレンズの他の各々の前記複合プロファイルと同じであることを特徴とする、請求項１２に記載の一群の眼内レンズ。
【手続補正２】
【補正対象書類名】明細書
【補正対象項目名】００６７
【補正方法】変更
【補正の内容】
【００６７】
上述の特徴および機能、またはそれらの代替物のいくつかは、多くの他の異なるシステムまたは用途に所望に組み込まれてもよいことが理解されるであろう。さまざまの現在予見できないまたは予期できない代替物、変形、バリエーション、または改良が、当業者によって後に行われ、これらもまた以下の特許請求の範囲により包含されることが意図される。
他の実施形態
１．  屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含む単焦点眼内レンズ。
２．  前記複合プロファイルが、前記レンズの前記前面上に完全に配置されることを特徴とする、実施形態１に記載のレンズ。
３．  前記複合プロファイルが、前記レンズの前記前面および後面の両方の上に区分的に配置されることを特徴とする、実施形態１に記載のレンズ。
４．  前記複合プロファイルが、回転対称であることを特徴とする、実施形態１に記載のレンズ。
５．  前記３つの構成プロファイルにより形成されるレンズのゾーンが、形状においてキノフォームであることを特徴とする、実施形態１に記載のレンズ。
６．  前記回折プロファイルの各々が、水溶液に関して、５４６ｎｍ光について０．８〜１．０×２πの位相遅延を生じさせるステップ高さを有することを特徴とする、実施形態１に記載のレンズ。
７．  中央ゾーンが、構成回折プロファイルと独立した形状を有する回折表面を有することを特徴とする、実施形態１に記載のレンズ。
８．  ｐ２に対するｐ１の比が約０．６であり、ｐ３に対するｐ１の比が約０．４であることを特徴とする、実施形態１に記載のレンズ。
９．  ｐ２に対するｐ１の比が約０．６７であり、ｐ３に対するｐ１の比が約０．３１であることを特徴とする、実施形態１に記載のレンズ。
１０．  前記焦点深度が０．８５ジオプトリ超であることを特徴とする、実施形態１に記載のレンズ。
１１．  前記焦点深度が０．８５ジオプトリ超であることを特徴とする、実施形態８に記載のレンズ。
１２．  屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１．２５Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含む単焦点眼内レンズ。
１３．  前記複合プロファイルが、前記レンズの前記前面上に完全に配置されることを特徴とする、実施形態１２に記載のレンズ。
１４．  前記複合プロファイルが、前記レンズの前記前面および後面の両方の上に区分的に配置されることを特徴とする、実施形態１２に記載のレンズ。
１５．  前記複合プロファイルが、回転対称であることを特徴とする、実施形態１２に記載のレンズ。
１６．  前記３つの構成プロファイルにより形成されるレンズのゾーンが、形状においてキノフォームであることを特徴とする、実施形態１２に記載のレンズ。
１７．  前記回折プロファイルの各々が、水溶液に関して、５４６ｎｍ光について０．８〜１．０×２πの位相遅延を生じさせるステップ高さを有することを特徴とする、実施形態１２に記載のレンズ。
１８．  中央ゾーンが、構成回折プロファイルと独立した形状を有する回折表面を有することを特徴とする、実施形態１２に記載のレンズ。
１９．  ｐ２に対するｐ１の比が約０．６であり、ｐ３に対するｐ１の比が約０．４であることを特徴とする、実施形態１２に記載のレンズ。
２０．  ｐ２に対するｐ１の比が約０．６７であり、ｐ３に対するｐ１の比が約０．３１であることを特徴とする、実施形態１２に記載のレンズ。
２１．  前記焦点深度が０．８５ジオプトリ超であることを特徴とする、実施形態１２に記載のレンズ。
２２．  前記焦点深度が０．８５ジオプトリ超であることを特徴とする、実施形態１９に記載のレンズ。
２３．  少なくとも３つのレンズを含む、一群の単焦点眼内レンズであって、前記レンズの各々が、
屈折型ベースパワーを提供する前面および後面を有する光学部であって、前記前面および後面の少なくとも１つが、３つの構成回折プロファイルを組み合わせることにより特定される高さを有するステップを含む複合プロファイルをその上に配置され、前記回折プロファイルはパワーｐ１、ｐ２およびｐ３に対応し、該パワーは互いに異なり各パワーが約１．２５Ｄ未満の正のパワーであり、前記回折プロファイルの各々が、水溶液に関して５４６ｎｍ光について０．６〜１．２×２πの位相遅延を生じさせるステップ高さを有し、前記複合プロファイルは、以下の関数：
ｚ＝ｍａｘ（回折プロファイル（ｐ１）、回折プロファイル（ｐ２）、回折プロファイル（ｐ３））、ここで、ｐ３＞ｐ２＞ｐ１である、
により定められる、
光学部を含み、
前記一群のレンズの各々が、互いに異なる屈折型ベースジオプトリ度数を有し、
前記屈折型ベースパワーの範囲が、少なくとも１０ジオプトリであり、
前記少なくとも３つのレンズの各々の前記複合プロファイルが、互いに同じである、
一群の単焦点眼内レンズ。
２４．  前記少なくとも３つのレンズの各々における前記複合プロファイルが、前記少なくとも３つのレンズの他の各々の前記複合プロファイルと同じであることを特徴とする、実施形態２３に記載の一群の眼内レンズ。